(57)【要約】【課題】現金やカード等を持ち歩くことなく、簡単に商取引を行うことができる安全性の高い本人認証決済システムおよび本人認証決済装置を提供すること。【解決手段】チャージ機１の虹彩入力手段１７から虹彩を入力してこの虹彩データをコード化して個人情報・虹彩記憶手段２１に記憶し、施設内に設けられたレンタルショップ９１や海の家９２等の有料施設を利用するときに、レンタルショップ９１や海の家９２に設けられたＢＭ決済端末５で虹彩データに基づいて決済を行う。【選択図】      図１
2004227134.tif 000002
【特許請求の範囲】
【請求項１】
個人の生体的な特徴を登録し、有料施設を利用するときに前記生体的な特徴を入力し、前記個人の生体的な特徴が認証されると前記有料施設を利用したときの料金の決済を行う本人認証決済システム。
【請求項２】
個人の生体的な特徴を登録する登録装置と、前記登録装置と通信可能に設けられるとともに複数の有料施設毎に設けられ、前記生体的な特徴に基づいて有料施設を利用したときの決済を行う決済装置とを備え、
前記登録装置は、個人の生体的な特徴を入力する第１入力手段と、前記第１入力手段に入力された特徴データを登録する特徴データ登録手段とを有し、
前記決済装置は、個人の生体的な特徴を入力する第２入力手段と、前記第２入力手段に入力された特徴データと前記特徴データ登録手段に登録された特徴データとを比較し、比較結果が一致したときに、前記有料施設を利用したときの料金の決済を行う決済手段とを有することを特徴とする本人認証決済装置。
【請求項３】
前記登録装置は、入金された金額を登録する使用金額登録手段と、前記決済装置によって決済された金額を前記使用金額登録手段に登録された金額から減算して残金を払い戻す返金手段とを有することを特徴とする請求項２記載の本人認証決済装置。
【請求項４】
前記決済装置は、前記決済装置によって決済された金額が前記使用金額登録手段に登録された金額を超える場合には、前記有料施設の利用を禁止する禁止手段を有することを特徴とする請求項３記載の本人認証決済装置。
【請求項５】
前記登録装置は、前記決済装置によって決済された金額を集計して請求する請求手段を有することを特徴とする請求項２記載の本人認証決済装置。
【請求項６】
前記使用金額登録手段は、前記決済手段によって決済される度に残金額を更新して登録し、前記決済装置は、前記使用金額登録手段に登録された前記更新後の残金額を表示する表示手段を有することを特徴とする請求項２乃至請求項５何れかに記載の本人認証決済装置。
【請求項７】
個人の生体的な特徴を入力する第３入力手段と、前記第３入力手段に入力された特徴データと前記特徴データ登録手段に登録された特徴データとを比較し、比較結果が一致したときに、無料施設の利用を許可する許可手段とを備えたことを特徴とする請求項２乃至請求項６何れかに記載の本人認証決済装置。
【請求項８】
前記決済装置は、決済された金額を印字出力する印字出力手段を有することを特徴とする請求項２乃至請求項７何れかに記載の本人認証決済装置。
【請求項９】
前記登録装置は、前記決済装置によって決済される金額に応じたポイントを付加するポイント付加手段と、前記付加されたポイントを記憶媒体に記憶する記憶手段とを有することを特徴とする請求項２乃至請求項８何れかに記載の本人認証決済装置。
【請求項１０】
前記登録装置は、前記記憶媒体に記憶されたポイントを使用金額に変換する変換手段を有し、前記使用金額登録手段に前記使用金額を登録することを特徴とする請求項３記載の本人認証決済装置。
【請求項１１】
前記複数の決済装置によって管理される各種情報および前記登録手段で管理される各種情報をＡＳＰサーバに送信する送信手段と、前記ＡＳＰサーバで管理される各種情報を取得する取得手段とを有することを特徴とする請求項１〜１０何れかに記載の本人認証決済装置。
【発明の詳細な説明】
【０００１】
【発明の属する技術分野】
本発明は、本人認証決済システムおよび本人認証決済装置に関し、詳しくは、虹彩（アイリス）や指紋等の生体的な特徴を検出してこの特徴データに基づいて有料施設の利用に応じた決済を行うようにした本人認証決済システムおよび本人認証決済装置に関する。
【０００２】
【従来の技術】
従来から海水浴、スキー、リゾートホテル等のレジャーが盛んであり、これらのレジャーには多額のお金が使用されるが、一方で多額の現金を持ち歩くと盗難や紛失等のおそれがある。
【０００３】
そこで、近時は、クレジットカード型、ＩＣカード型、キャッシュカード型のカード型現金決済システムにより、現金を持ち歩かなくとも種々の商取引（商品の購入、施設の利用等）が可能となっており、安全性や便利性を向上することができる（例えば、特許文献１参照）。
【０００４】
【特許文献１】
特開平２００２−１０９４３９号公報
【０００５】
【発明が解決しようとする課題】
しかしながら、このようなカード型現金決済システムにあっては、カードによって商取引を行うようになっているため、常にカードを持ち歩く必要があり、カード自体の紛失や盗難があった場合には、商取引を行うことができない上に、カードを出したりする等の手間およびカード管理が必要になってしまった。
【０００６】
また、例えば、海水浴のように水着で海水浴場にいる場合には、カードを持ったまま海に入れないので、カードを安全な場所に保管する必要があり、保管が面倒であった。この場合には、少額の硬貨を持ち歩けば、水着に硬貨を入れて海に入れるため、ビールやジュース等を購入することが可能であるが、その場合でも、硬貨の紛失のおそれや硬貨の遣り取りを行う手間が必要となり、カードと同様に十分な安全性を確保することはできない。
【０００７】
また、健康ランドのようにリストバンドに書かれた番号によって商品を購入する場合には、現金の紛失や盗難等のおそれはないが、リストバンドの紛失や盗難等のおそれがあり、十分な安全性を確保することはできない。
【０００８】
本発明は、上記従来の問題を解決するもので、現金やカード等を持ち歩くことなく、簡単に商取引を行うことができる安全性の高い本人認証決済システムおよび本人認証決済装置を提供するものである。
【０００９】
【課題を解決するための手段】
本発明の本人認証決済システムは、個人の生体的な特徴を登録し、有料施設を利用するときに前記生体的な特徴を入力し、前記個人の生体的な特徴が認証されると有料施設を利用したときの料金の決済を行うものから構成される。
【００１０】
このような構成により、虹彩や指紋等の個人の生体的な予め登録し、自動販売機や飲食物の販売を行う有料施設を利用したときに個人の生体的な特徴に基づいて決済を行うので、有料施設を利用するとき等に個人の生体的な特徴を決済装置に入力するだけで良い。この結果、現金やカード等を持ち歩く必要がないので現金やカード等の盗難や紛失のおそれがなく、安全性を確保することができる。
【００１１】
また、現金やカードの出し入れの手間がなく、身軽に有料施設を利用することができる。
【００１２】
また、本発明の本人認証決済装置は、個人の生体的な特徴を登録する登録装置と、前記登録装置と通信可能に設けられ、前記生体的な特徴に基づいて有料施設を利用したときの決済を行う決済装置とを備え、前記登録装置は、個人の生体的な特徴を入力する第１入力手段と、前記第１入力手段に入力された特徴データを登録する特徴データ登録手段とを有し、前記決済装置は、個人の生体的な特徴を入力する第２入力手段と、前記第２入力手段に入力された特徴データと前記特徴データ登録手段に登録された特徴データとを比較し、比較結果が一致したときに、前記有料施設を利用したときの料金の決済を行う決済手段とを有するものから構成される。
【００１３】
このような構成により、予め、登録装置に虹彩や指紋等の個人の生体的な特徴を登録しておき、自動販売機や飲食物の販売を行う有料施設を利用したときに個人の生体的な特徴に基づいて決済を行うので、有料施設を利用するとき等に個人の生体的な特徴を決済装置に入力するだけで良い。この結果、現金やカード等を持ち歩く必要がないので現金やカード等の盗難や紛失のおそれがなく、安全性を確保することができる。
【００１４】
また、現金やカードの出し入れの手間がなく、身軽に有料施設を利用することができる。
【００１５】
また、本発明の本人認証決済装置は、前記登録装置は、入金された金額を登録する使用金額登録手段と、前記決済装置によって決済された金額を前記使用金額登録手段に登録された金額から減算して残金を払い戻す返金手段とを有するものから構成される。
【００１６】
このような構成により、予め登録装置に一定の金額を入金してこの金額を登録し、有料施設の利用に応じて決済された金額を予め登録された金額から減算するので、有料施設の所有者が使用者から利用料を取れないような事態が発生するのを防止することができる。また、有料施設の利用者は予め一定の金額を入金するので、お金を使い過ぎることを抑制することができる。
【００１７】
また、本発明の本人認証決済装置は、前記決済装置は、前記決済装置によって決済された金額が前記使用金額登録手段に登録された金額を超える場合には、前記有料施設の利用を禁止する禁止手段を有するものから構成される。
【００１８】
このような構成により、残金が不足する場合に有料施設が利用できないので、利用者がお金を使い過ぎるのを防止することができる上に、有料施設の使用者が利用料を回収できない事態が発生するのを防止することがきる。
【００１９】
また、本発明の本人認証決済装置は、前記登録装置は、前記決済装置によって決済された金額を集計して請求する請求手段を有するものから構成される。
【００２０】
このような構成により、最後にお金をまとめて払うまでは現金やカードを持ち歩く必要がないので、現金やカードをロッカー等に保管しておけば、現金やカード等の盗難や紛失のおそれがなく、安全性を確保することができる。
【００２１】
また、本発明の本人認証決済装置は、前記使用金額登録手段は、前記決済手段によって決済される度に残金額を更新して登録し、前記決済装置は、前記使用金額登録手段に登録された前記更新後の残金額を表示する表示手段を有するものから構成される。
【００２２】
このような構成により、残金をリアルタイムで知ることができるので、お金の管理を十分に行うことができる。
【００２３】
また、本発明の本人認証決済装置は、個人の生体的な特徴を入力する第３入力手段と、前記第３入力手段に入力された特徴データと前記特徴データ登録手段に登録された特徴データとを比較し、比較結果が一致したときに、無料施設の利用を許可する許可手段とを備えたものから構成される。
【００２４】
このような構成により、例えば、海水浴場等でお金やカードを持ち歩かなくても無料のコインロッカー等を使用することができる。
【００２５】
また、本発明の本人認証決済装置は、前記決済装置は、決済された金額を印字出力する印字出力手段を有するものから構成されている。
【００２６】
このような構成により、印字された決済金額を確認することにより、決済金額の合計から残金を知ることができるので、お金の管理を十分に行うことができる。また、決済金額が印字された用紙にサインをすること等により、利用明細書の代りにすることができる。
【００２７】
また、本発明の本人認証決済装置は、前記登録装置は、前記決済装置によって決済される金額に応じたポイントを付加するポイント付加手段と、前記付加されたポイントを記憶媒体に記憶する記憶手段とを有するものから構成される。
【００２８】
このような構成により、決済される金額に応じたポイントを得ることができるので、このポイントを幅広く利用することができる。例えば、レジャーランド等の施設を利用した場合に、その施設を利用する度にポイントを付加するようにし、このポイントに見合った特典を与えるようにする。具体的には、例えば、１０００ポイントでホテルに無料宿泊ができる等の特典を与えるようにすれば、利用者は沢山の施設を使うようになり、施設側が潤い、利用者も特典に見合ったサービスを受けることができるようになり、お互いの利益になる。
【００２９】
また、本発明の本人認証決済装置は、前記登録装置は、前記記憶媒体に記憶されたポイントを使用金額に変換する変換手段を有し、前記使用金額登録手段に前記使用金額を登録するものから構成される。
【００３０】
このような構成により、今まで貯めていたポイントを利用して施設を利用することができるので、利用者は特典に見合ったサービスを受けることができる。
【００３１】
また、本発明の本人認証決済装置は、前記複数の決済装置によって管理される各種情報および前記登録手段で管理される各種情報をＡＳＰサーバに送信する送信手段と、前記ＡＳＰサーバで管理される各種情報を取得する取得手段とを有するものから構成される。
【００３２】
このような構成により、各有料施設に設けられた決済装置の識別番号、決済金額情報、利用商品情報、リライトカードのポイント情報、各有料施設別の売上金情報、各施設の総売上金情報、利用者情報等をＡＳＰサーバで管理し、これら各種情報をＡＳＰサーバから取得することによって施設の運営に対して有効な情報を取得することができる。
【００３３】
【発明の実施の形態】
以下、本発明の実施の形態を図面に基づいて説明する。
【００３４】
図１乃至図１３は本発明に係る本人認証決済システムおよび本人認証決済装置の第１の実施の形態を示す図である。なお、本実施の形態は、本人認証決済装置をプライベートビーチに設置した例を示す。
【００３５】
まず、構成を説明する。図１は本人認証決済システムの全体図であり、本人認証決済システムはチャージ機（登録装置）、収納装置２、中継装置３、センターサーバ（ＡＳＰサーバ）４、バイオメトリクス（以下、単にＢＭという）決済端末（決済装置）５、パソコン端末（取得手段）６およびクレジットカード取扱ネットワークサーバ７を備えている。
【００３６】
チャージ機１は、図２に示すように現金保管手段１１、現金インターフェース１２、カードインターフェース１３、通貨取得手段１４、取得金額表示手段１５、電子通貨変換手段１６、虹彩入力手段１７、個人情報入力手段１８、ロッカー番号表示手段１９、電子通貨記憶手段２０、個人情報・虹彩記憶手段２１、制御部２２、公衆回線通信手段２３、構内回線通信手段２４、個人認証手段２５、残金額表示手段２６、電子通貨変換手段２７、個人登録解除手段２８、現金インターフェース２９、カードリーダライタ手段３０およびカードインターフェース３１を備えている。
【００３７】
現金保管手段１１は、現金インターフェース１２から入金された現金を保管するものであり、金庫等から構成されている。現金インターフェース１２は入金機であり、現金を現金保管手段１１に入金する。また、現金保管手段１１は貴重品やチャージしない現金の保管も行う。
【００３８】
カードインターフェース１３はクレジットカード、ＩＣカード、キャッシュカード、リライトカード等のカードを読み取って使用可能な金額を入金するものであり、通貨取得手段１４は、カードインターフェース１３から読み取られた金額を計数したり、またはポイントを金額に変換するとともに、現金インターフェース１２から入金された金額を計数する。
【００３９】
本実施の形態では、通貨取得手段１４が記憶媒体であるリライトカードに記憶されたポイントを使用金額に変換する変換手段を構成している。
【００４０】
取得金額表示手段１５は通貨取得手段１４によって計数されたチャージ金額を表示するようになっており、液晶表示パネル等から構成されている。電子通貨変換手段１６は、通貨取得手段１４によってチャージされた金額を電子通貨に変換するようになっている。
【００４１】
虹彩入力手段（第１入力手段）１７は撮像装置から構成されており、個人の生体的を特徴である虹彩を撮像するようになっている。なお、個人の生体的な特徴としては、虹彩に限らず、指紋、顔等であっても良い。個人情報入力手段１８は虹彩を登録するユーザが設定するパスワードや暗証番号を入力するものであり、テンキー等を備えたキーボード等から構成されている。
【００４２】
ロッカー表示手段１９は虹彩とパスワードを登録したユーザの使用可能なロッカー番号を表示するようになっており、液晶表示パネル等から構成されている。このロッカー番号は収納装置２の番号である。電子通貨記憶手段２０は電子通貨変換手段１６によって変換された電子通貨を記憶するものであり、メモリから構成されている。なお、電子通貨記憶手段２０は入金された金額を登録する使用金額登録手段を構成している。
【００４３】
個人情報・虹彩記憶手段（特徴データ登録手段）２１は虹彩入力手段１７から入力された虹彩をコード化して記憶するとともに個人情報入力手段１８から入力された個人識別番号を記憶するようになっており、メモリから構成されている。
【００４４】
制御部２２はチャージ機１全体を制御するものであり、ＣＰＵ、ＲＡＭ、ＲＯＭ等から構成されている。公衆回線通信手段２３は公衆回線網３２に接続されており、チャージ機１は公衆回線網３２を介してセンターサーバ４と通信可能になっている。
【００４５】
構内回線通信手段２４は、無線のＬＡＮ（Ｌｏｃａｌ  Ａｒｅａ  Ｎｅｔｗｏｒｋ）３３に接続されており、ＬＡＮ３３を介して収納装置２、ＢＭ決済端末５およびパソコン端末６との間で通信を行うようになっている。なお、ＬＡＮ３３は有線であっても良い。
【００４６】
個人認証手段２５は虹彩入力手段１７によって撮像された虹彩と個人情報・虹彩記憶手段２１に記憶された虹彩データとを比較するようになっており、この比較結果を制御部２２に出力するようになっている。
【００４７】
残金額表示手段２６は電子通貨記憶手段２０に記憶された金額とＢＭ決済端末５からＬＡＮ３３を介して送信される決済金額情報との差額（残金）を表示するようになっている。
【００４８】
制御部２２はＢＭ決済端末５から決済金額情報が送信されると、この課金情報に基づいて電子通貨記憶手段２０に記憶された金額から決済金額を差引いて電子通貨記憶手段２０に更新して記憶するようになっており、残金額表示手段２６にはこの電子通貨記憶手段２０に記憶された残金額が表示される。また、制御部２２は決済金額に応じてポイントを付加し（例えば、１０００円使用で１０ポイント等）、このポイントを制御部２２にＲＡＭに記憶する。
【００４９】
電子通貨変換手段２７は電子通貨記憶手段２０に記憶された電子通貨を現金またはリライトカード用のポイントに変換するものである。現金インターフェース２９は電子通貨変換手段２７によって変換された現金を現金保管手段１１から出力するようになっている。
【００５０】
また、制御部２２は、清算時にＢＭ決済端末５によって決済された金額を電子通貨記憶手段２０に記憶された金額から減算して残金を電子通貨変換手段２７によって払い戻すようになっており、電子通貨変換手段２７と共に返金手段を構成している。
【００５１】
カードインターフェース３１はカードが装着されるようになっており、カードリーダライタ手段３０はカードインターフェース３１に装着されたカードに決済された金額を入力したり、リライトカードにポイントを入力するようになっている。また、個人登録解除手段２８はキーボード等から構成されており、個人情報・虹彩記憶手段２１に記憶された個人情報および虹彩を消去する。
【００５２】
本実施の形態では、ＢＭ決済端末５から決済金額情報が送信されると、この決済金額に応じたポイントを付加して電子通貨記憶手段２０に記憶するようになっており、制御部２２がポイント付加手段を構成している。
【００５３】
また、カードリーダライタ手段３０は付加されたポイントをリライトカードに記憶するようになっており、カードリーダライタ手段３０が記憶手段を構成している。
【００５４】
また、制御部２２は電子通貨記憶手段２０に最初にチャージされた金額から最終的に電子通貨記憶手段２０に記憶された金額の差（すなわち、合計決済金額）を公衆回線通信手段２３から公衆回線網３２を介してセンターサーバ４に送信するようになっており、制御部２２および公衆回線通信手段２３は送信手段を構成している。
【００５５】
また、クレジットカード取扱ネットワークサーバ７は公衆回線網３２を介してチャージ機１と通信可能になっている。このクレジットカード取扱ネットワークサーバ７は通信事業者がサービス提供するサーバであり、クレジットカードやキャッシュカードの利用データを店舗から各クレジットカード会社や金融機関に中継するものである。
【００５６】
収納装置２は無料ロッカーから構成されるものであり、この収納装置２は、図３に示すようにＢＭインターフェース４１ａ、個人情報入力手段４１ｂ、個人認証手段４２、開閉手段４３、収納手段４４、構内回線通信手段４５および制御部４６から構成される。
【００５７】
ＢＭインターフェース（第３入力手段）４１ａは撮像装置から構成されており、個人の生体的を特徴である虹彩を撮像するようになっている。個人情報入力手段４１ｂはテンキー等を備えた操作部から構成されており、パスワードが入力されるようになっている。
【００５８】
個人認証手段４２はＢＭインターフェース４１から入力された虹彩データと個人情報・虹彩記憶手段２１に記憶された虹彩データとを比較し、比較結果を制御部４６に出力するようになっている。
【００５９】
開閉手段４３は電子錠を備えたドアから構成されており、荷物等を収納する収納手段４４を開閉して電子錠をロックするようになっている。構内回線通信手段４５はＬＡＮ３３に接続されており、ＬＡＮ３３を介してチャージ機１と通信可能になっている。
【００６０】
制御部４６は、ＣＰＵ、ＲＯＭ、ＲＡＭ等から構成され、個人認証手段４２によってＢＭインターフェース４１ａから入力された虹彩データおよび個人情報入力手段４１ｂから入力されたパスワードと個人情報・虹彩記憶手段２１に記憶された虹彩データおよびパスワードとが一致した場合に電子錠のロックを解除するようになっており、個人認証手段４２と共に許可手段を構成している。
【００６１】
ＢＭ決済端末５は、図４に示すように、ＢＭインターフェース５１ａ、個人情報入力手段５１ｂ、個人認証手段５２、電子通貨表示手段（表示手段）５３、決済入力手段５４、構内回線通信手段５５、制御部５６および印刷部５７を備えている。このＢＭ決済端末５は図８に示す後述する施設毎に設けられている。
【００６２】
ＢＭインターフェース（第２入力手段）５１ａは撮像装置から構成されており、個人の生体的を特徴である虹彩を撮像するようになっている。個人情報入力手段５１ｂはテンキー等の操作部から構成されており、パスワードが入力されるようになっている。
【００６３】
個人認証手段５２はＢＭインターフェース５１から入力された虹彩データと個人情報・虹彩記憶手段２１に記憶された虹彩データとを比較し、比較結果を制御部５６に出力するようになっている。
【００６４】
電子通貨表示手段５３は電子通貨記憶手段２０に記憶された残金額を表示したり、購入する商品や利用する施設の利用料等を表示するようになっており、決済入力手段５４は、施設を使用するときや商品を購入する度に利用金額を決済するようになっている。
【００６５】
構内回線通信手段５５はＬＡＮ３３に接続されており、ＬＡＮ３３を介してチャージ機１と通信可能になっている。
【００６６】
制御部５６はＣＰＵ、ＲＯＭ、ＲＡＭ等から構成され、ＢＭインターフェース５１ａから入力された虹彩データおよび個人情報入力手段５１ｂから入力されたパスワードと個人情報・虹彩記憶手段２１に記憶された虹彩データおよびパスワードとが一致した場合に、決済入力手段５４から入力された金額を決済して構内回線通信手段５５を介してチャージ機１の制御部２２に決済金額情報を送信するようになっており、決済入力手段５４と共に決済手段を構成している。
【００６７】
印刷部（印字出力手段）５７は、制御部５６によって制御されるようになっており、決済を行ったときに決済金額を記録紙に印字するようになっている。なお、この記録紙にはサイン欄が設けられており、ユーザがこのサイン欄にサインを行うことにより、施設を利用したことを記録して施設の従業員に渡すようになっている。そして、このサイン欄は記録紙から切り離し可能にしても良く、決済金額が書かれた記録紙と別の記録紙から構成しても良い。
【００６８】
また、制御部５６は決済入力手段５４から入力された金額（決済金額に相当）が電子通貨記憶手段２０に記憶された残金額を超える場合には、有料施設の利用を禁止するようになっており、禁止手段を構成している。
【００６９】
中継装置３は、図５に示すように、公衆回線網３２に接続される公衆回線通信手段６１、制御部６２および構内回線通信手段６３を構成している。
【００７０】
公衆回線通信手段６１は公衆回線網３２を介してセンターサーバ４と通信を行うようになっている。制御部６２は、ＣＰＵ、ＲＯＭ、ＲＡＭ等から構成され、中継装置３全体を制御するものである。構内回線通信手段６３はＬＡＮ３３に接続されるようになっており、ＬＡＮ３３を介してＢＭ決済端末５との間で通信を行うようになっている。
【００７１】
この中継装置３は、ＢＭ決済端末５からの各種情報をセンターサーバ４に送信するようになっており、各種情報としては、ＢＭ決済端末５の識別番号（すなわち、有料施設の種類を識別するもの）、利用商品情報、決済金額情報等がある。この各種情報は制御部６２によってＬＡＮ３３を介してＢＭ決済端末５から取得され、公衆回線通信手段６１によってセンターサーバ４に送信されるようになっており、本実施の形態では制御部６２および公衆回線通信手段６１が送信手段を構成している。また、中継装置３はセンターサーバ４と通信を行い、各種情報をパソコン端末６に送信するようになっている。
【００７２】
パソコン端末６は、図６に示すように、ＢＭインターフェース７１ａ、個人情報入力手段７１ｂ、個人認証手段７２、情報入力手段７３、情報取得手段７４、制御部７５および構内回線通信手段７６から構成されている。このパソコン端末６は主に施設の管理者や経営者等が使用するものである。
【００７３】
ＢＭインターフェース７１ａは撮像装置から構成されており、個人の生体的を特徴である虹彩を撮像するようになっている。また、個人情報入力手段７１ｂはテンキー等の入力部から構成されており、パスワードが入力されるようになっている。
【００７４】
個人認証手段７２はＢＭインターフェース７１ａから入力された虹彩データおよび個人情報入力手段７１ｂから入力されたパスワードと個人情報・虹彩記憶手段２１に記憶された虹彩データとを比較し、比較結果を制御部７５に出力するようになっている。
【００７５】
情報入力手段７３はキーボード等から構成されており、情報取得手段７４はディスプレイやハードディスク等から構成されている。構内回線通信手段７６はＬＡＮ３３に接続されるようになっており、ＬＡＮ３３を介してチャージ機１、収納装置５、ＢＭ決済端末５および中継装置２に接続され、ＬＡＮ３３を介してこれらチャージ機１、収納装置５、ＢＭ決済端末５および中継装置２の間で通信を行うようになっている。
【００７６】
制御部７５は、ＣＰＵ、ＲＯＭ、ＲＡＭ等から構成されており、情報入力手段７３からの操作内容に応じた情報を入手して施設の利用状況を情報取得手段７４に取得するようになっている。
【００７７】
センターサーバ４は、図７に示すように、公衆回線網３２に接続される公衆回線通信手段８１、チャージ機認証手段８２、情報取得手段８３、情報設定手段８４および情報記憶手段８５を備えている。
【００７８】
公衆回線通信手段８１は公衆回線網３２を介して中継装置３と通信を行うようになっている。チャージ機認証手段８２は、特定の地域（あるいは全国的）に設置された複数のチャージ機１がどの施設に設置されたチャージ機１なのかを判断するようになっており、チャージ機１から中継装置３を介して送信される情報からチャージ機１の識別番号を取得することによりチャージ機１の種類を判断する。
【００７９】
情報取得手段８３はチャージ機１やＢＭ決済端末５から送信される各種情報、例えば、有料施設（海の家やレンタルショップ等）の識別番号、総合売上金額情報、利用商品情報、リライトカードのポイント情報、施設別売上金情報、利用者情報を取得することにより、各施設の利用状況（経営状況）を集計するようになっており、ＣＰＵ、液晶表示装置等から構成されている。
【００８０】
ここで、有料施設の利用とは、自動販売機、海の家、リゾートホテル、遊園地の乗物等で遊技を行うとき等のように、商品を購入したり、有料でレンタルしたり、有料のものを使用すること等を指す。
【００８１】
また、情報設定手段８４はキーボード等から構成されており、チャージ機１やＢＭ決済端末５から得られた情報の加工や各種設定等を行うようになっている。また、情報記憶手段８５は情報取得手段８３が取得した情報を記憶するようになっている。したがって、上述したパソコン端末６はセンターサーバ４から施設の運営に有効な情報を取得可能になっている。
【００８２】
なお、パソコン端末５はＬＡＮ３３および中継装置３を介してセンターサーバ４に接続されることに加えて、インターネット上のＷｅｂサイトに接続されることも可能であることは言うまでもない。
【００８３】
なお、本実施の形態では、チャージ機１、収納装置２、中継装置３、ＢＭ決済端末５およびパソコン端末６が本人認証決済装置を構成している。
【００８４】
次に、図８乃至図１３に基づいて本人認証決済方法を説明する。なお、図８は本人認証決済装置をリゾートホテルに設置したときのシステム構成図であり、図９乃至図１３は本人認証決済処理のフローチャートである。
【００８５】
本実施の形態では、浮き輪、パラソル等をレンタルするレンタルショップ９１、ラーメンやビール等の飲食物を販売する海の家９２等の有料施設にそれぞれＢＭ決済端末５を設置し、リゾートホテル９３にチャージ機１、収納装置２、パソコン端末６を設置した例を示す。
【００８６】
また、本実施の形態の本人認証決済システムは、プライベートビーチを所有するリゾートホテル９３がレンタルショップ９１、海の家９２と提携し、またはレンタルショップ９１および海の家９２を経営する等して、一定の地域内で利用者にサービスを提供する施設に適用される。
【００８７】
まず、最初にリゾートホテル９３の受け付け等に設置されたチャージ機１に虹彩を登録する処理を図９のフローチャートに基づいて説明する。なお、図９のフローチャートは制御部２２のＲＯＭに格納され、ＣＰＵによって実行されるプログラムである。
【００８８】
まず、現金でチャージを行う場合には、現金インターフェース１２に現金を入金してチャージ金額を指定する（ステップＳ１、Ｓ２）。また、クレジットカードでチャージを行う場合には、カードインターフェース１３でクレジットカードを読み取って金額を指定する（ステップＳ３、Ｓ４）。なお、この情報はクレジットカード取扱ネットワークサーバ７に転送される。
【００８９】
さらに、リライトカードのポイントを現金に変換する場合には、カードインターフェース１３でリライトカードを読み取って金額を指定する（ステップＳ５、Ｓ６）。
【００９０】
次いで、チャージする金額が決定したか否かを判別し（ステップＳ７）、金額が決定した場合には、虹彩入力手段１７によって虹彩を撮像してこの虹彩データをコード化して個人情報・虹彩記憶手段２１に記憶する（ステップＳ８）。
【００９１】
次いで、個人認証入力手段１７によって再度虹彩を撮像してこの虹彩データを個人認証手段２５によって個人情報・虹彩記憶手段２１に記憶された虹彩データと比較して一致したか否かを判別することにより認証を行い、認証に成功した場合には（ステップＳ９のＹＥＳ）、個人番号入力手段１８からパスワードの登録を行い、このパスワードを個人情報・虹彩記憶手段２１に記憶する（ステップＳ１０）。
【００９２】
次いで、個人番号入力手段１８から再度パスワードを入力し、個人認証手段２５によってこのパスワードが個人情報・虹彩記憶手段２１に記憶されたパスワードと一致したか否かを判別してパスワードの認証を行い、認証に成功した場合には（ステップＳ１１のＹＥＳ）、登録を完了する（ステップＳ１２）。この後、ロッカー番号表示手段１９によってロッカー番号を表示して（ステップＳ１３）、処理を終了する。
【００９３】
次に、図１０のフローチャートに基づいてロッカーを利用するときの処理を説明する。なお、図１０はリゾートホテル９３に設置された収納装置２の制御部４６のＲＯＭに格納され、ＣＰＵによって実行されるプログラムである。
【００９４】
まず、ＢＭインターフェース４１ａによって虹彩を撮像し、この虹彩データを個人認証手段４２によって個人情報・虹彩記憶手段２１に記憶された虹彩と比較する（ステップＳ２１）。このとき、個人情報入力手段４１ｂから入力されたパスワードと個人情報・構成記憶手段２１に記憶されたパスワードも比較する。
【００９５】
そして、虹彩およびパスワードの比較結果が一致して認証に成功したか否かを判別し（ステップＳ２２）、認証に成功した場合には、開閉手段４３によりチャージ機１で割り振られたロッカー番号の電子錠のロックを解除してドアを開放する（ステップＳ２３）。次いで、収納手段４４に荷物や貴重品等を収納したり、収納手段４４から荷物や貴重品等を回収した後（ステップＳ２４）、ドアを閉じて電子錠をロックする（ステップＳ２５）。
【００９６】
次に、図１１のフローチャートに基づいて施設を利用するときの処理を説明する。なお、図１１はレンタルショップ９１または海の家９２に設置されたＢＭ決済端末５の制御部５６のＲＯＭに格納され、ＣＰＵによって実行されるプログラムである。ここでは、レンタルショップ９１を利用したときの処理を説明する。
【００９７】
まず、ＢＭインターフェース５１ａによって虹彩を撮像し、この虹彩データを個人認証手段５２によって個人情報・虹彩記憶手段２１に記憶された虹彩と比較する（ステップＳ３１）。このとき、個人情報入力手段５１ｂから入力されたパスワードと個人情報・虹彩記憶手段２１に記憶されたパスワードとを比較する。
【００９８】
そして、虹彩とパスワードの比較結果が一致して認証に成功したか否かを判別し（ステップＳ３２）、認証に成功した場合には、電子通貨表示手段５３によって電子通貨記憶手段２０に登録された残金額を表示する（ステップＳ３４）。
【００９９】
次いで、電子通貨表示手段５３によって購入する商品の金額を表示する（ステップＳ３４）。ここでは、レンタルショップ９１であるため、浮き輪やパラソル等の料金が表示される。
【０１００】
次いで、レンタル商品が利用されたか否かを判別し（ステップＳ３５）、レンタル商品が利用された場合には決済入力手段５４によって決済が行われる（ステップＳ３６）。この後、印刷部５７から決済金額とサイン欄が設けられた利用明細書が印字出力されるで（ステップＳ３７）、この明細書にサインを行う。また、決済入力手段５４で決済された決済情報はチャージ機１の制御部２２に送信される。
【０１０１】
チャージ機１はこの決済情報に基づいて電子通貨記憶手段２０に記憶された残金額から決済金額を差引いて残金額を電子通貨記憶手段２０に更新して記憶する。また、決済入力手段５４はこの電子通貨記憶手段２０に記憶された残金額に基づいて利用金額がこの残金額を超える場合には、利用を許可せず、そのことを電子通貨表示手段５３によって表示する。
【０１０２】
次に、図１２のフローチャートに基づいて無料施設を利用するときの処理を説明する。なお、無料施設としては、例えば、リゾートホテルの宿泊客のみが無料で使用できる無料駐車場（一般客は有料）等がある。なお、図１２は駐車場の入出ゲート開閉装置（構成としては図３の収納装置２と同様である。但し、収納手段がなく、開閉手段４３がゲートを開閉する構成となる）に設けられた制御部４６のＲＯＭに格納され、ＣＰＵによって実行されるプログラムである。
【０１０３】
まず、ＢＭインターフェース４１ａによって虹彩を撮像し、この虹彩データを個人認証手段４２によって個人情報・虹彩記憶手段２１に記憶された虹彩と比較する（ステップＳ４１）。このとき、個人情報入力手段４１ｂから入力されたパスワードと個人情報・虹彩情報記憶手段２１に記憶されたパスワードも比較する。
【０１０４】
そして、虹彩およびパスワードの比較結果が一致して認証に成功したか否かを判別し（ステップＳ４２）、認証に成功した場合には、開閉手段４３により開閉ゲートを開放する（ステップＳ４３）。なお、この場合には個人認証手段４２が無料施設の利用を許可する許可手段を構成する。
【０１０５】
次に、図１３のフローチャートに基づいてチャージ機１で清算を行うときの処理を説明する。なお、図１３のフローチャートは制御部２２のＲＯＭに格納され、ＣＰＵによって実行されるプログラムである。
【０１０６】
まず、虹彩入力手段１７によって虹彩を撮像してこの虹彩データを個人認証手段２５によって個人情報・虹彩記憶手段２１に記憶された認証データと比較して認証を行う（ステップＳ５１）。
【０１０７】
そして、認証に成功した場合には（ステップＳ５２のＹＥＳ）、電子通貨記憶手段２０に記憶された残金額を残金額表示手段２６に表示した後（ステップＳ５３）、残金額の変換選択処理を実行する（ステップＳ５４）。
【０１０８】
この残金額を現金に換金する場合には（ステップＳ５５のＹＥＳ）、電子通貨を電子通貨変換手段２７で現金に換金して現金インターフェース２９から出金する。
【０１０９】
また、残金額をポイントに変換する場合には（ステップＳ５６のＹＥＳ）、電子通貨を電子通貨変換手段２７でポイントに変換してカードリーダライタ手段３０によってポイントをリライトカードに記憶する。次いで、個人登録解除手段２８によって登録された虹彩、パスワードを解除して（ステップＳ５７）処理を終了する。
【０１１０】
一方、パソコン端末６によって利用客が各種情報を取得する場合には、ＢＭインターフェース７１ａによって虹彩を撮像するとともに個人情報入力手段７１ｂからパスワードを入力し、個人認証手段７２によってこの虹彩データおよびパスワードと個人情報・虹彩記憶手段２１に記憶された虹彩およびパスワードとを比較し、比較結果が一致した場合には、中継装置３を介して公衆回線網３３を介してセンターサーバ４に接続する。なお、このパソコン端末６の操作は施設の管理者や経営者が施設の利用情報を把握するために行うものであり、特定の人しか操作できない。
【０１１１】
また、センターサーバ４は情報取得手段８３によって各施設に設けられた本人認証決済装置から送信される各種情報を取得し、この送信情報からチャージ機認証手段８２によって、本人認証決済装置の機種を判別して、取得情報を情報記憶手段８５に記憶するようになっており、この各種情報を集約して管理してパソコン端末６に提供可能となっている。
【０１１２】
この情報取得手段８３によって取得して情報記憶手段８５に記憶する情報としては、各有料施設に設けられたＢＭ決済端末５の識別番号、決済金額情報、利用商品情報、リライトカードのポイント情報が有り、これらの情報から情報設定手段８４によって各有料施設別の売上金情報、各施設の総売上金情報、利用者情報等を計算するので、パソコン端末６からセンターサーバ４に知りたい情報を要求し、例えば、どのような年齢層の利用者がどのような商品を購入しているのか、施設別の売上はどうなっているのかを知ることができ、経営管理の効率化を図ることができる。また、このセンターサーバ４はＡＳＰサーバであるため、システム管理や導入費がかかることがなく、安価、かつ簡易に経営管理を行うことができる。
【０１１３】
このように本実施の形態では、チャージ機１の虹彩入力手段１７から虹彩を入力してこの虹彩データをコード化して個人情報・虹彩記憶手段２１に記憶し、施設内に設けられたレンタルショップ９１や海の家９２等の有料施設を利用するときに、レンタルショップ９１や海の家９２に設けられたＢＭ決済端末５で虹彩データに基づいて決済を行うようにしたため、現金やカード等を持ち歩くのを不要にして現金やカード等の盗難や紛失のおそれがなく、安全性を確保することができる。また、現金やカードの出し入れの手間がないので、身軽に有料施設を利用することができる。
【０１１４】
また、一定の金額を通貨記憶手段２０にチャージし、ＢＭ決済端末５によって決済が行われると、決済された金額を通貨記憶手段２０にチャージされた金額から減算して残金を払い戻すようにしているので、有料施設の所有者が使用者から利用料を取れないような事態が発生するのを防止することができるとともに、有料施設の利用者は予め一定の金額を入金するので、お金を使い過ぎることを抑制することができる。
【０１１５】
また、ＢＭ決済端末５で決済を行うときに決済された金額が電子通貨記憶手段２０にチャージされた金額を超える場合には、有料施設の利用を禁止するので、利用者がお金を使い過ぎるのを防止することができる上に、有料施設の所有者が有料施設の利用料を回収できない事態が発生するのを防止することができる。
【０１１６】
また、ＢＭ決済端末５によって決済される度に残金額を電子通貨記憶手段２０に更新してチャージし、施設を利用するときにＢＭ決済端末５によって電子通貨記憶手段２０にチャージされた最新の残金額を電子通貨表示手段５３によって表示するようにしたので、残金をリアルタイムで知ることができ、お金の管理を十分に行うことができる。
【０１１７】
また、虹彩データに基づいて無料駐車場等の無料施設の利用を許可するようにしているので、海水浴場でお金やカードを持ち歩かなくても無料駐車場が利用出できる。
【０１１８】
また、本実施の形態では、ＢＭ決済端末５により決済された金額が印字出力されるので、印字された決済金額を確認することにより、決済金額の合計から残金を知ることができるので、お金の管理を十分に行うことができる。また、決済金額が印字された用紙にサインをすること等により、利用明細書の代りにすることができる。
【０１１９】
また、本実施の形態では、ＢＭ決済端末５によって決済される金額に応じたポイントを付加してこのポイントをリライトカードに記憶するようになっているため、このポイントを幅広く利用することができる。例えば、リゾートホテル９３、レンタルショップ９１、海の家９２を利用する度にポイントを付加するようにし、このポイントに見合った特典を与えるようにする。
【０１２０】
具体的には、１０００ポイントでリゾートホテルに無料宿泊ができる等の特典を与えるようにすれば、利用者は沢山の施設を使うようになり、リゾートホテルが潤い、利用者も特典に見合ったサービスを受けることができるようになり、お互いの利益になる。
【０１２１】
また、本実施の形態では、リライトカードに記憶されたポイントを使用金額に変換して電子通貨記憶手段２０に登録するようにしているので、今まで貯めていたポイントを利用してレンタルショップ９１等を利用することができ、利用者は特典に見合ったサービスを受けることができる。なお、本実施の形態では、チャージ機１は予め一定の金額をチャージして、決済する毎にこの決済金額をチャージされた金額から減算するようにしているが、これに限らず、ＢＭ決済端末５によって決済された金額を集計して最後に請求するようにしても良い。この場合には、制御部２２がＢＭ決済端末５から決済金額情報が送信する度にこの決済金額情報を電子通貨記憶手段２０に記憶しておき、電子通貨記憶手段２０に累積された決済金額を集計すれば良く、制御部２２が請求手段を構成する。
【０１２２】
このようにしても、最後にお金をまとめて払うまでは現金やカードを持ち歩く必要がないので、現金やカードをロッカー等に保管しておけば、現金やカード等の盗難や紛失のおそれがなく、安全性を確保することができる。
【０１２３】
図１４は本発明に係る本人認証決済システムおよび本人認証決済装置の第２の実施の形態を示す図である。なお、本実施の形態は、本人認証決済装置の構成は第１の実施の構成と同様であり、この構成をビーチに設置した例を示すものである。
【０１２４】
図１４において、ＢＭ決済端末５を海の家１００とレンタルショップ１０１に設置するとともに、チャージ機１およびコインロッカー等の収納装置２を管理事務書１０２に設置し、海の家１００、レンタルショップ１０１および管理事務書１０２で本人認証決済システムを構築するものである。このようにしても第１の実施の形態と同様に、現金やカード等を持ち歩くのを不要にして現金やカード等の盗難や紛失のおそれがなく、安全性を確保することができる上に、現金やカードの出し入れの手間がないので、身軽に有料施設を利用することができる。
【０１２５】
図１５は本発明に係る本人認証決済システムおよび本人認証決済装置の第３の実施の形態を示す図である。なお、本実施の形態は、本人認証決済装置の構成は第１の実施の構成と同様であり、この構成をスキー場に設置した例を示すものである。
【０１２６】
図１５において、ＢＭ決済端末５を売店・喫茶１１０、図示しないリフト、休憩室、有料駐車場等に設置するとともに、チャージ機１およびコインロッカー等の収納装置２を管理ロッジ１１１に設置し、売店・喫茶１１０等と管理ロッジ１１１とで本人認証決済システムを構築するものである。このようにしても第１の実施の形態と同様に、現金やカード等を持ち歩くのを不要にして現金やカード等の盗難や紛失のおそれがなく、安全性を確保することができる上に、現金やカードの出し入れの手間がないので、身軽に有料施設を利用することができる。
【０１２７】
また、公衆回線網３２を介してセンターサーバ４に接続し、センターサーバ４とチャージ機１の間で各種利用状況の遣り取りを行うことは勿論である。
【０１２８】
図１６は本発明に係る本人認証決済システムおよび本人認証決済装置の第４の実施の形態を示す図である。なお、本実施の形態は、本人認証決済装置の構成は第１の実施の構成と同様であり、この構成をビーチに設置した例を示すものである。
【０１２９】
図１６において、ＢＭ決済端末５を海の家１２１や図示しないレンタルショップに設置するとともに、チャージ機１およびコインロッカー等の収納装置２をトラックの荷台１２２に設置して移動可能に構成し、海の家１２１等と荷台１２２に設置されたチャージ機１とで本人認証決済システムを構築するものである。なお、荷台１２２はビーチでコインロッカーを利用するのに違和感がないようなデザインや意匠が施されており、トラックから切り離し可能である。
【０１３０】
このようにしても第１の実施の形態と同様に、現金やカード等を持ち歩くのを不要にして現金やカード等の盗難や紛失のおそれがなく、安全性を確保することができる上に、現金やカードの出し入れの手間がないので、身軽に有料施設を利用することができる。
【０１３１】
また、移動するトラックにチャージ機１を搭載するので、他の地域の海の家等に移動した場合であっても、中継装置３により、チャージ機１とＢＭ決済端末５との間で無線で通信を行うことにより、速やかに本人認証決済システムを構築することができるとともに、チャージ機１を中継装置３から公衆回線網３２を介してセンターサーバ４に接続し、センターサーバ４とチャージ機１の間で各種利用状況の遣り取りを行うことができる。
【０１３２】
図１７は本発明に係る本人認証決済システムおよび本人認証決済装置の第５の実施の形態を示す図である。なお、本実施の形態は、本人認証決済装置の構成は第５の実施の構成と同様であり、この構成をイベント会場、アミューズメントパーク等に設置した例を示すものである。
【０１３３】
図１７において、チャージ機１およびコインロッカー等の収納装置２をトラックの荷台１３１に設置して移動可能に構成するとともに、有料駐車場１３２、レンタルサイクル１３３および各種イベントブース１３４ａ〜１３４ｅにＢＭ決済端末５を設置し、チャージ機１と有料駐車場１３２、レンタルサイクル１３３および各種イベントブース１３４ａ〜１３４ｅとで本人認証決済システムを構築するものである。なお、荷台１３１はイベント会場でコインロッカーを利用するのに違和感がないようなデザインや意匠が施されており、トラックから切り離し可能である。
【０１３４】
このようにしても第１の実施の形態と同様に、現金やカード等を持ち歩くのを不要にして現金やカード等の盗難や紛失のおそれがなく、安全性を確保することができる上に、現金やカードの出し入れの手間がないので、身軽に有料施設を利用することができる。
【０１３５】
また、移動するトラックにチャージ機１を搭載するので、他の地域のイベント会場に移動した場合であっても、中継装置３により、チャージ機１とＢＭ決済端末５との間で無線で通信を行うことにより、速やかに本人認証決済システムを構築することができるとともに、チャージ機１を中継装置３から公衆回線網３２を介してセンターサーバ４に接続し、センターサーバ４とチャージ機１の間で各種利用状況の遣り取りを行うことができる。
【０１３６】
【発明の効果】
本発明によれば、現金やカード等を持ち歩くことなく、簡単に商取引を行うことができる安全性の高い本人認証決済システムおよび本人認証決済装置を提供することができる。
【図面の簡単な説明】
【図１】本発明の第１の実施の形態の本人認証装置を備えた本人認証決済システムの構成図
【図２】本発明の第１の実施の形態のチャージ機の構成図
【図３】本発明の第１の実施の形態の有料ロッカーの構成図
【図４】本発明の第１の実施の形態のＢＭ決済端末の構成図
【図５】本発明の第１の実施の形態の中継装置の構成図
【図６】本発明の第１の実施の形態のパソコン端末の構成図
【図７】本発明の第１の実施の形態のセンターサーバの構成図
【図８】本発明の第１の実施の形態の本人認証装置の使用環境を示す図
【図９】本発明の第１の実施の形態の虹彩の登録処理および使用金額のチャージ処理を示すフローチャート
【図１０】本発明の第１の実施の形態の有料ロッカーの利用方法のフローチャート
【図１１】本発明の第１の実施の形態の有料施設の利用方法のフローチャート
【図１２】本発明の第１の実施の形態の無料施設の利用方法のフローチャート
【図１３】本発明の第１の実施の形態の清算処理のフローチャート
【図１４】本発明の第２の実施の形態の本人認証装置の使用環境を示す図
【図１５】本発明の第３の実施の形態の本人認証装置の使用環境を示す図
【図１６】本発明の第４の実施の形態の本人認証装置の使用環境を示す図
【図１７】本発明の第５の実施の形態の本人認証手段の使用環境を示す図
【符号の説明】
１    チャージ機（登録装置）
４    センターサーバ（ＡＳＰサーバ）
５    ＢＭ決済端末（決済装置）
６    パソコン端末（取得手段）
１４    通貨取得手段（変換手段）
１７    虹彩入力手段（第１入力手段）
２０    電子通貨記憶手段（使用金額登録手段）
２１    個人情報・虹彩記憶手段（特徴データ登録手段）
２２    制御部（返金手段、ポイント付加手段、送信手段）
２３    公衆回線通信手段（送信手段）
２７    電子通貨変換手段（返金手段）
３０    カードリーダライタ手段（記憶手段）
４１ａ    ＢＭインターフェース（第３入力手段）
４２    個人認証手段（許可手段）
４６    制御部（許可手段）
５１ａ    ＢＭインターフェース（第２入力手段）
５３    電子通貨表示手段
５１    決済入力手段（決済手段）
５６    制御部（決済手段、禁止手段）
５７    印刷部（印字出力手段）
【図１】
2004227134.tif 000003
【図２】
2004227134.tif 000004
【図３】
2004227134.tif 000005
【図４】
2004227134.tif 000006
【図５】
2004227134.tif 000007
【図６】
2004227134.tif 000008
【図７】
2004227134.tif 000009
【図８】
2004227134.tif 000010
【図９】
2004227134.tif 000011
【図１０】
2004227134.tif 000012
【図１１】
2004227134.tif 000013
【図１２】
2004227134.tif 000014
【図１３】
2004227134.tif 000015
【図１４】
2004227134.tif 000016
【図１５】
2004227134.tif 000017
【図１６】
2004227134.tif 000018
【図１７】
2004227134.tif 000019